(57)【特許請求の範囲】
【請求項１】
圧縮機（21）、室外熱交換器（23）、膨張弁（24）、及び室内熱交換器（25）が順に接続され、冷媒が循環して冷凍サイクルを行う冷媒回路（20）と、
該冷媒回路（20）に接続され、上記室内熱交換器（25）で冷媒を凝縮させる暖房運転と、該暖房運転とは逆方向に冷媒を循環させて上記室外熱交換器（23）を除霜する除霜運転とを切り換える切換機構（22）とを備えた空気調和装置であって、
上記冷媒回路（20）には、冷媒としてＲ３２が充填され、
除霜運転を終了させてから上記切換機構（22）を切り換えて暖房運転を復帰させるまでの間、上記膨張弁（24）を全閉または上記膨張弁（24）の開度を除霜運転時よりも小さくして上記室外熱交換器（23）から上記室内熱交換器（25）への液冷媒の流入を抑える液抑制制御を行う制御部（11）を備え、
上記制御部（11）は、除霜運転終了後に上記膨張弁（24）の開度を除霜運転時よりも小さくし上記圧縮機（21）の回転数を除霜運転時よりも低くする第１制御と、該第１制御後に上記膨張弁（24）の開度を該第１制御時よりも小さくし上記圧縮機（21）を停止させる第２制御とを行って、上記液抑制制御を行う
ことを特徴とする空気調和装置。
【発明の詳細な説明】
【技術分野】
【０００１】
本発明は、暖房運転と除霜運転を行う空気調和装置に関し、特に、冷媒音発生の防止策に係るものである。
【背景技術】
【０００２】
従来より、冷凍サイクルを行って室内を暖房する空気調和装置が知られている。例えば、特許文献１には、この種の空気調和装置が開示されている。この空気調和装置は、圧縮機、四方切換弁、室内熱交換器、膨張弁、及び室外熱交換器が接続された冷媒回路を備えている。この空気調和装置では、暖房運転を行うと、冷媒が循環して冷凍サイクルが行われる。そして、室内熱交換器では、冷媒が空気へ放熱して凝縮することで空気が加熱され、その加熱された空気が室内へと供給される。
【０００３】
上記空気調和装置では、暖房運転を継続して行うと、室外熱交換器に霜が付着して熱交換能力が低下するため、暖房運転を所定時間行う毎に、除霜運転が行われる。除霜運転では、暖房運転とは逆の方向に、冷媒が循環して冷凍サイクルが行われる。そして、室外熱交換器では、冷媒が霜へ放熱して凝縮することで、その霜が加熱されて融解する。
【先行技術文献】
【特許文献】
【０００４】
【特許文献１】特開２０００−３１４５３９号公報
【発明の概要】
【発明が解決しようとする課題】
【０００５】
従来の空気調和装置では、除霜運転が終了してから暖房運転が復帰するまでの間に、液冷媒が大量に室外熱交換器から室内熱交換器へ流れ込むことがある。しかし、室内熱交換器内に溜まった液冷媒は、暖房運転の復帰時に、圧縮機から室内熱交換器へガス冷媒が吐出されると、そのガス冷媒によって膨張弁側へ押し出される。
【０００６】
しかし、冷媒として流速比（ガス冷媒の流速／液冷媒の流速）が大きいＲ３２を用いた空気調和装置では、室内熱交換器内に溜まった液冷媒がガス冷媒によって押し出される際に、高速のガス冷媒と低速の液冷媒とが混ざり合って乱流が形成され易くなる。そして、室内熱交換器内の液冷媒量が多い場合は、その乱流が大きくなって、室内熱交換器内（例えば分流器内）で音（冷媒音）が発生してしまうという問題があった。
【０００７】
そこで本発明は、かかる点に鑑みてなされたものであり、その目的は、冷媒としてＲ３２を用いた空気調和装置において、暖房運転の復帰時に、室内熱交換器内で冷媒音が発生するのを防止することにある。
【課題を解決するための手段】
【０００８】
第１の発明は、圧縮機（21）、室外熱交換器（23）、膨張弁（24）、及び室内熱交換器（25）が順に接続され、冷媒が循環して冷凍サイクルを行う冷媒回路（20）と、該冷媒回路（20）に接続され、上記室内熱交換器（25）で冷媒を凝縮させる暖房運転と、該暖房運転とは逆方向に冷媒を循環させて上記室外熱交換器（23）を除霜する除霜運転とを切り換える切換機構（22）とを備えた空気調和装置を対象としている。そして、上記冷媒回路（20）には、冷媒としてＲ３２が充填され、除霜運転を終了させてから上記切換機構（22）を切り換えて暖房運転を復帰させるまでの間、上記膨張弁（24）を全閉または上記膨張弁（24）の開度を除霜運転時よりも小さくして上記室外熱交換器（23）から上記室内熱交換器（25）への液冷媒の流入を抑える液抑制制御を行う制御部（11）を備えているものである。そして、上記制御部（11）は、除霜運転終了後に上記膨張弁（24）の開度を除霜運転時よりも小さくし上記圧縮機（21）の回転数を除霜運転時よりも低くする第１制御と、該第１制御後に上記膨張弁（24）の開度を該第１制御時よりも小さくし上記圧縮機（21）を停止させる第２制御とを行って、上記液抑制制御を行う。
【０００９】
Ｒ３２は、他の冷媒よりも流速比（ガス冷媒の流速／液冷媒の流速）が大きい。そのため、Ｒ３２を冷媒として用いた空気調和装置（1）では、暖房運転の復帰時に、圧縮機（21）から室内熱交換器（25）へガス冷媒が吐出されると、室内熱交換器（25）内において、高速のガス冷媒と低速の液冷媒とが混ざり合って乱流が形成され易くなる。そして、室内熱交換器（25）内の液冷媒量が多い場合は、この乱流が大きくなって、室内熱交換器（25）内で冷媒音が発生する虞がある。
【００１０】
しかし、上記第１の発明では、除霜運転が終了してから暖房運転が復帰するまでの間（液抑制制御中）に、室外熱交換器（23）から膨張弁（24）を通って室内熱交換器（25）へ流入する液冷媒量が抑制される。そのため、暖房運転の復帰前（液抑制制御中）に、室内熱交換器（25）内に大量に液冷媒が溜まることがなく、暖房運転の復帰時に、室内熱交換器（25）内において液冷媒とガス冷媒による乱流が大きくなって、冷媒音が発生する事態が回避される。
【００１１】
また、上記空気調和装置（1）では、膨張弁（24）を小さく開けて上記２つの冷媒流路を連通させた状態で圧縮機（21）を停止させる場合、上記２つの冷媒流路の圧力差が高い程、室外熱交換器（23）から膨張弁（24）を通って室内熱交換器（25）へ流入する液冷媒量が多くなる傾向にある。
【００１２】
しかし、上記第１の発明では、第１制御時に、膨張弁（24）を小さく開けた状態で圧縮機（21）を低回転数で駆動させて、上記２つの冷媒流路の圧力差をある程度小さくした後、第２制御時に、膨張弁（24）を小さく開けた状態で圧縮機（21）を停止させている。そのため、室外熱交換器（23）から膨張弁（24）を通って室内熱交換器（25）へ流入する液冷媒量が確実に少なくなる。
【発明の効果】
【００１３】
第１の発明によれば、冷媒としてＲ３２を用いた空気調和装置（1）において、除霜運転が終了してから暖房運転が復帰するまでの間に、液抑制制御を行って、室外熱交換器（23）から膨張弁（24）を通って室内熱交換器（25）へ流入する液冷媒量を抑制するようにした。これにより、暖房運転の復帰前（液抑制制御中）に、室内熱交換器（25）内において大量の液冷媒が溜まるのを防ぐことができ、暖房運転の復帰時に、室内熱交換器（25）内の液冷媒をガス冷媒によって押し出す際に、ガス冷媒と液冷媒による乱流が大きくなって、冷媒音が発生するのを防止することができる。
【００１４】
また、第１の発明によれば、液抑制制御中、第１制御時に、膨張弁（24）を小さく開けた状態で、圧縮機（21）を低回転数で駆動させて上記２つの冷媒流路の圧力差をある程度小さくした後、第２制御時に、膨張弁（24）を小さく開けた状態で、圧縮機（21）を停止させるようにした。これにより、室外熱交換器（23）から膨張弁（24）を通って室内熱交換器（25）へ流入する液冷媒量を確実に少なくすることができ、その結果、冷媒音の発生をより確実に防止することができる。
【図面の簡単な説明】
【００１５】
【図１】図１は、実施形態１に係る空気調和装置の構成を示す配管系統図である。
【図２】図２は、実施形態１の液抑制制御中における圧縮機の回転数と膨張弁の開度を示すグラフである。
【図３】図３は、実施形態１の液抑制制御中における室内熱交換器内の液冷媒量と２つの冷媒流路（室外側冷媒流路と室内側冷媒流路）の圧力差を示すグラフである。
【図４】図４は、実施形態１の均圧制御中における膨張弁の開度を示すグラフである。
【図５】図５は、実施形態２の液抑制制御中における圧縮機の回転数と膨張弁の開度を示すグラフである。
【図６】図６は、実施形態２の液抑制制御中における室内熱交換器内の液冷媒量と２つの冷媒流路（室外側冷媒流路と室内側冷媒流路）の圧力差を示すグラフである。
【発明を実施するための形態】
【００１６】
本発明の実施形態について説明する。なお、以下に示す実施形態は、本質的に好ましい例示であって、本発明、その適用物、あるいはその用途の範囲を制限することを意図するものではない。
【００１７】
《発明の実施形態１》
本発明の実施形態１に係る空気調和装置（1）は、室内機が室内の壁や天井に設置されて室内を空調するいわゆるルームエアコンである。図１に示すように、空気調和装置（1）は、室外機（2）と、室内機（3）と、コントローラ（10）とを備えている。室外機（2）と室内機（3）は、液側連絡配管（5）およびガス側連絡配管（6）を介して互いに接続されている。空気調和装置（1）では、室外機（2）、室内機（3）、液側連絡配管（5）およびガス側連絡配管（6）によって、冷媒回路（20）が形成されている。
【００１８】
冷媒回路（20）には、圧縮機（21）と、四方切換弁（22）と、室外熱交換器（23）と、膨張弁（24）と、室内熱交換器（25）とが接続されている。圧縮機（21）、四方切換弁（22）、室外熱交換器（23）および膨張弁（24）は、室外機（2）に収容されている。室外機（2）には、室外熱交換器（23）へ室外空気を供給するための室外ファン（23a）が設けられている。一方、室内熱交換器（25）は、室内機（3）に収容されている。室内機（3）には、室内熱交換器（25）へ室内空気を供給するための室内ファン（25a）が設けられている。
【００１９】
冷媒回路（20）は、冷凍サイクルを行うための閉回路である。この冷媒回路（20）には、冷媒としてＲ３２（ＨＦＣ３２（ジフルオロメタン））が充填されている。冷媒回路（20）において、圧縮機（21）は、その吐出側が四方切換弁（22）の第１のポートに、その吸入側が四方切換弁（22）の第２のポートに、それぞれ接続されている。また、冷媒回路（20）では、四方切換弁（22）の第３のポートから第４のポートへ向かって順に、室外熱交換器（23）と、膨張弁（24）と、室内熱交換器（25）とが配置されている。
【００２０】
圧縮機（21）は、スクロール型またはロータリ型の全密閉型圧縮機である。圧縮機（21）は、その回転数が可変となっている。具体的に、圧縮機（21）の電動機は、インバータを介して商用電源に接続している。インバータの出力周波数を変更すると、電動機の回転数が変化し、その結果、圧縮機（21）の回転数が変化する。
【００２１】
四方切換弁（22）は、冷媒回路（20）における冷媒の循環方向を切り換えて、空気調和装置（1）の運転（冷房運転と暖房運転と除霜運転）を切り換えるものであり、本発明の切換機構を構成している。この四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。
【００２２】
室外熱交換器（23）と室内熱交換器（25）とは、いわゆるクロスフィン型の熱交換器である。室外熱交換器（23）は、室外空気を冷媒と熱交換させる。室内熱交換器（25）は、室内空気を冷媒と熱交換させる。
【００２３】
膨張弁（24）は、いわゆる電子膨張弁であって、パルスモータによって開度が可変に構成されている。
【００２４】
コントローラ（10）は、圧縮機（21）の回転数、膨張弁（24）の開度、四方切換弁（22）の切り換え等、冷媒回路（20）の各部の動作を制御するものである。このコントローラ（10）は、液抑制制御部（11）を有している。この液抑制制御部（11）は、除霜運転を終了させてから暖房運転を復帰させるまでの間、室外熱交換器（23）から室内熱交換器（25）への液冷媒の流入を抑えるように制御するものであって、本発明の制御部を構成している。
【００２５】
−運転動作−
次に、上記空気調和装置（1）の運転動作について説明する。空気調和装置（1）では、冷房運転と、暖房運転と、室外熱交換器（23）を除霜する除霜運転とが行われる。
【００２６】
〈冷房運転〉
冷房運転では、四方切換弁（22）は第１状態に設定され、膨張弁（24）の開度は室内熱交換器（25）から流出する冷媒の過熱度が所定の目標値となるように調節されている。また、室外ファン（23a）と室内ファン（25a）とは、稼動状態である。
【００２７】
この状態で圧縮機（21）を駆動させると、冷媒回路（20）では、冷媒が圧縮機（21）から四方切換弁（22）を介して、室外熱交換器（23）、膨張弁（24）、室内熱交換器（25）の順に流れて循環し、室外熱交換器（23）が凝縮器として機能し、室内熱交換器（25）が蒸発器として機能する冷凍サイクルが行われる。
【００２８】
具体的に、圧縮機（21）から吐出されたガス冷媒は、四方切換弁（22）を介して室外熱交換器（23）へ流入する。室外熱交換器（23）では、ガス冷媒が室外空気へ放熱して凝縮する。室外熱交換器（23）で凝縮した液冷媒は、膨張弁（24）で減圧された後、室内熱交換器（25）へ流入する。室内熱交換器（25）では、液冷媒が室内空気から吸熱して蒸発することで、室内空気が冷却される。その後、室内熱交換器（25）で蒸発したガス冷媒は、四方切換弁（22）を介して圧縮機（21）へ吸入される。この吸入されたガス冷媒は、圧縮機（21）で圧縮された後、再び吐出され、この冷媒循環が繰り返される。
【００２９】
〈暖房運転〉
暖房運転では、四方切換弁（22）が第２状態に設定され、膨張弁（24）の開度は室外熱交換器（23）から流出する冷媒の過熱度が所定の目標値となるように調節されている。また、室外ファン（23a）と室内ファン（25a）とは、稼動状態である。
【００３０】
この状態で圧縮機（21）を駆動させると、冷媒回路（20）では、冷房運転とは逆方向に冷媒が循環し、室内熱交換器（25）が凝縮器として機能し、室外熱交換器（23）が蒸発器として機能する冷凍サイクルが行われる。
【００３１】
具体的に、圧縮機（21）から吐出されたガス冷媒は、四方切換弁（22）を介して室内熱交換器（25）へ流入する。室内熱交換器（25）では、ガス冷媒が室内空気へ放熱して凝縮することで、室内空気が加熱される。そして、室内熱交換器（25）で凝縮した液冷媒は、膨張弁（24）で減圧された後、室外熱交換器（23）へ流入する。室外熱交換器（23）では、液冷媒が室外空気から吸熱して蒸発する。その後、室外熱交換器（23）で蒸発したガス冷媒は、四方切換弁（22）を介して圧縮機（21）へ吸入される。この吸入されたガス冷媒は、圧縮機（21）で圧縮された後、再び吐出され、この冷媒循環が繰り返される。
【００３２】
〈除霜運転〉
上記暖房運転を継続して行うと、室外熱交換器（23）の伝熱管等に霜が付着し、この霜が徐々に成長して肥大化していく。そのため、空気調和装置（1）では、暖房運転が行われてから所定時間が経過する毎に、除霜運転に切り換えられる。
【００３３】
除霜運転では、四方切換弁（22）が第１状態に設定され、膨張弁（24）が全開状態に設定される。また、室外ファン（23a）と室内ファン（25a）とは、停止状態である。
【００３４】
この状態で圧縮機（21）を駆動させると、冷媒回路（20）では、暖房運転とは逆方向（冷房運転と同じ方向）に冷媒が循環し、室外熱交換器（23）が凝縮器として機能し、室内熱交換器（25）が蒸発器として機能する冷凍サイクルが行われる。
【００３５】
具体的に、圧縮機（21）から吐出されたガス冷媒は、四方切換弁（22）を介して室外熱交換器（23）へ流入する。室外熱交換器（23）では、付着した霜が高温のガス冷媒によって加熱されて融解される一方、ガス冷媒が霜によって冷却されて凝縮（放熱）する。そして、室外熱交換器（23）で凝縮した液冷媒は、膨張弁（24）で減圧された後、室内熱交換器（25）へ流入し、室内熱交換器（25）において、空気から吸熱して蒸発する。そして、室内熱交換器（25）で蒸発したガス冷媒は、四方切換弁（22）を介して圧縮機（21）へ吸入される。圧縮機（21）へ吸入されたガス冷媒は、圧縮された後再び吐出され、この冷媒循環が繰り返される。このようにして、除霜運転は所定時間継続して行われる。
【００３６】
〈除霜運転後の液抑制制御〉
図２に示すように、空気調和装置（1）では、除霜運転が終了すると、暖房運転が復帰するまでの間、液抑制制御が行われる。液抑制制御では、第１制御と第２制御とが順に行われる。
【００３７】
第１制御では、膨張弁（24）が除霜運転時よりも小さい開度（この場合、中程度の開度）に設定され、圧縮機（21）が除霜運転時よりも低い回転数（この場合、最低回転数）に設定される。また、四方切換弁（22）、室外ファン（23a）、及び室内ファン（25a）は、そのまま除霜運転時の状態（四方切換弁（22）は第１状態、室外ファン（23a）と室内ファン（25a）は停止状態）に維持される。
【００３８】
第１制御中、冷媒回路（20）では、除霜運転時と同様に、冷媒が循環して、室外熱交換器（23）が凝縮器として機能し、室内熱交換器（25）が蒸発器として機能する冷凍サイクルが行われる。そのため、図３に示すように、室内熱交換器（25）内の液冷媒量は、増加することなく、少ない状態に保たれる。
【００３９】
しかし、第１制御では、除霜運転時よりも圧縮機（21）の回転数が低く、冷媒の循環量が小さくなるため、膨張弁（24）に接続された室外熱交換器（23）側と室内熱交換器（25）側の２つの冷媒流路（31,32）（図１中の室外側冷媒流路（31）と室内側冷媒流路（32））の圧力差が小さくなる。この第１制御は、所定時間（例えば、３０sec）継続して行われる。
【００４０】
上記第１制御が所定時間継続して行われると、第２制御が開始される。第２制御では、膨張弁（24）が第１制御時よりも小さい開度（この場合、最小開度）に設定され、圧縮機（21）が停止される。また、四方切換弁（22）、室外ファン（23a）、及び室内ファン（25a）は、そのまま除霜運転時の状態に維持される。
【００４１】
第２制御中、冷媒回路（20）では、圧縮機（21）が停止状態であるため、冷凍サイクルは行われず、２つの冷媒流路（31,32）（室外側冷媒流路（31）と室内側冷媒流路（32））の圧力差に応じて、室外熱交換器（23）内の液冷媒が膨張弁（24）を通って室内熱交換器（25）へと流れる。しかし、２つの冷媒流路（31,32）の圧力差は小さく、さらに、膨張弁（24）の開度が小さいため、室外熱交換器（23）から室内熱交換器（25）への液冷媒の流れは極少量に抑えられる。この第２制御は、所定時間（例えば、３０sec）継続して行われる。
【００４２】
〈暖房運転の復帰〉
上記第２制御（上記液抑制制御）が所定時間継続して行われると、四方切換弁（22）が第１状態から第２状態へと切り換わって、暖房運転が復帰する。
【００４３】
暖房運転の復帰時には、圧縮機（21）がその回転数を段階的に高めて起動し、膨張弁（24）は所定開度になるまで開度が大きくなる。そして、冷媒回路（20）では、圧縮機（21）から吐出されたガス冷媒が、四方切換弁（22）を介して室内熱交換器（25）へ流入し、室内熱交換器（25）では、このガス冷媒によって、室内熱交換器（25）内の液冷媒が膨張弁（24）側へと押し出される。
【００４４】
この時、冷媒がＲ３２であると、冷媒の流速比（ガス冷媒の流速／液冷媒の流速）が大きいため、室内熱交換器（25）内において、高速のガス冷媒と低速の液冷媒とが混ざり合って乱流が形成され易くなる。そして、室内熱交換器（25）内の液冷媒量が多い場合は、この乱流が大きくなって、室内熱交換器（25）内（室内熱交換器（25）の分流器内）で冷媒音が発生する虞がある。
【００４５】
しかし、本実施形態では、除霜運転が終了してから暖房運転が復帰するまでの液抑制制御中に、膨張弁（24）の開度を除霜運転時よりも小さく（第１制御では中開度、第２制御では最小開度に）して、室外熱交換器（23）から室内熱交換器（25）への液冷媒の流れ込みが抑えられている。そのため、暖房運転の復帰前（液抑制制御中）に、室内熱交換器（25）内に大量に液冷媒が溜まることがなく、暖房運転の復帰時に、室内熱交換器（25）内で液冷媒とガス冷媒による乱流が大きくなって冷媒音が発生する事態が回避される。
【００４６】
〈暖房運転停止後の均圧制御〉
また、空気調和装置（1）では、圧縮機（21）を停止して暖房運転を終了させた後、冷媒回路（20）内を一定圧力に保つため、均圧制御が行われる。図４に示すように、均圧制御では、第１均圧制御と第２均圧制御とが順に行われる。
【００４７】
第１均圧制御では、所定時間中（例えば２分間）、膨張弁（24）が比較的小さい開度（例えば２００パルス）に設定される。第１均圧制御中、冷媒は高圧側の室内熱交換器（25）から膨張弁（24）を通って低圧側の室外熱交換器（23）へ流れようとする。しかし、第１均圧制御では、膨張弁（24）の開度が小さいため、冷媒の急激な流れを抑えることができ、その結果、冷媒の急激な流れによる冷媒音の発生を防止することができる。その後、第２均圧制御では、膨張弁（24）が全開に設定され、冷媒回路（20）内が一定圧力に保持される。
【００４８】
−実施形態の効果−
本実施形態によれば、冷媒としてＲ３２を用いた空気調和装置（1）において、除霜運転が終了してから暖房運転が復帰するまでの間に、液抑制制御を行って、室外熱交換器（23）から膨張弁（24）を通って室内熱交換器（25）へ流入する液冷媒量を抑制するようにした。これにより、暖房運転の復帰前（液抑制制御中）に、室内熱交換器（25）内において大量の液冷媒が溜まるのを防ぐことができ、暖房運転の復帰時に、室内熱交換器（25）内の液冷媒をガス冷媒によって押し出す際に、ガス冷媒と液冷媒による乱流が大きくなって、冷媒音が発生するのを防止することができる。
【００４９】
また、上記空気調和装置（1）では、暖房運転の復帰時に、四方切換弁（22）に接続された２つの冷媒流路（31,32）（室外側冷媒流路（31）と室内側冷媒流路（32））の圧力差が大きい状態で四方切換弁（22）を切り換えると、四方切換弁（22）において大きな切換音が発生してしまう。
【００５０】
しかし、上記本実施形態では、暖房運転の復帰前（液抑制制御中）に、膨張弁（24）を小さく開けて上記２つの冷媒流路を連通させた状態で、圧縮機（21）を停止または圧縮機（21）の回転数を除霜運転時よりも低くするようにした。これにより、上記２つの冷媒流路（31,32）の圧力差を小さくすることができ、暖房運転の復帰時に、四方切換弁（22）を切り換えても、その切換音を抑制することができる。
【００５１】
また、上記空気調和装置（1）では、膨張弁（24）を小さく開けて上記２つの冷媒流路を連通させた状態で圧縮機（21）を停止させる場合、上記２つの冷媒流路の圧力差が高い程、室外熱交換器（23）から膨張弁（24）を通って室内熱交換器（25）へ流入する液冷媒量が多くなる傾向にある。
【００５２】
しかし、本実施形態によれば、液抑制制御中、第１制御時に、膨張弁（24）を小さく開けた状態で圧縮機（21）を低回転数で駆動させて、上記２つの冷媒流路の圧力差をある程度小さくした後、第２制御時に、膨張弁（24）を小さく開けた状態で圧縮機（21）を停止させるようにした。これにより、室外熱交換器（23）から膨張弁（24）を通って室内熱交換器（25）へ流入する液冷媒量を確実に少なくすることができ、その結果、冷媒音の発生をより確実に防止することができる。
【００５３】
〈実施形態１の変形例〉
上記実施形態１では、第１制御時に、圧縮機（21）の回転数を最低回転数に設定し、膨張弁（24）の開度を中程度に設定している。しかし、第１制御時における圧縮機（21）の回転数は、除霜運転時における圧縮機（21）の回転数よりも低ければ、これに限らない。また、第１制御時における膨張弁（24）の開度は、除霜運転時における膨張弁（24）の開度よりも小さければ、これに限らない。
【００５４】
上記実施形態１では、第２制御時に、膨張弁（24）を最小開度に設定している。しかし、第２制御時における膨張弁（24）の開度は、第１制御時における膨張弁（24）の開度よりも小さければ、これに限らない。
【００５５】
《発明の実施形態２》
本発明の実施形態２に係る空気調和装置（1）は、上記実施形態１において、液抑制制御中の制御内容を変更したものである。つまり、上記実施形態１では、液抑制制御中、膨張弁（24）の開度を除霜運転中の膨張弁（24）の開度よりも小さく（第１制御中は中程度、第２制御中は最小開度に）していたが、実施形態２では、図５に示すように、液抑制制御中、膨張弁（24）を全閉にするようにした。
【００５６】
具体的に、実施形態２では、液抑制制御中、膨張弁（24）が全閉状態に設定され、圧縮機（21）が最低回転数に設定される。また、四方切換弁（22）、室外ファン（23a）、及び室内ファン（25a）は、そのまま除霜運転時の状態に維持される。
【００５７】
液抑制制御中、冷媒回路（20）では、膨張弁（24）が全閉状態であるため、圧縮機（21）によって室内熱交換器（25）側の冷媒が室外熱交換器（23）側へ搬送される、いわゆるポンプダウン運転が行われる。そのため、図６に示すように、室内熱交換器（25）内の液冷媒量を少なくすることができ、暖房運転の復帰時に、室内熱交換器（25）内において液冷媒とガス冷媒とによる乱流を形成し難くして、冷媒音の発生をより確実に防止することができる。
【００５８】
〈実施形態２の変形例〉
上記実施形態２では、液抑制制御時に、圧縮機（21）の回転数を最低回転数に設定しているが、圧縮機（21）の回転数はこれに限らない。
【００５９】
《その他の実施形態》
上記実施形態１では、液抑制制御中に、膨張弁（24）の開度を除霜運転時よりも小さくしつつ圧縮機（21）を駆動させる制御（第１制御）と、膨張弁（24）の開度を除霜運転時よりも小さくしつつ圧縮機（21）を停止させる制御（第２制御）とを行っている。また、上記実施形態２では、液抑制制御中に、膨張弁（24）を全閉にしつつ圧縮機（21）を駆動させている。しかし、液抑制制御は、膨張弁（24）が全閉または膨張弁（24）の開度が除霜運転時よりも小さくなるように制御されていればこれに限らず、例えば、液抑制制御中、膨張弁（24）を全閉にしつつ圧縮機（21）を停止させても構わない。また、液抑制制御中に、膨張弁（24）の開度を除霜運転時よりも小さくしつつ圧縮機（21）を駆動させる制御（第１制御）のみを行っても構わないし、膨張弁（24）の開度を除霜運転時よりも小さくしつつ圧縮機（21）を停止させる制御（第２制御）のみを行っても構わない。
【産業上の利用可能性】
【００６０】
以上説明したように、本発明は、室内を暖房する暖房運転と、室外熱交換器を除霜する除霜運転とを行う空気調和装置について有用である。
【符号の説明】
【００６１】
1         空気調和装置
11        液抑制制御部（制御部）
20        冷媒回路
21        圧縮機
22        四方切換弁（切換機構）
23        室外熱交換器
24        膨張弁
25        室内熱交換器
【図１】
0005516695.tif 000002
【図２】
0005516695.tif 000003
【図３】
0005516695.tif 000004
【図４】
0005516695.tif 000005
【図５】
0005516695.tif 000006
【図６】
0005516695.tif 000007